(57)【要約】【課題】弱帯電トナーの発生を防ぎ、トナーの回収能力を向上させること。【解決手段】画像形成動作時に、第１トナー回収ローラ５４に印加する電圧として、変曲点の電圧よりも絶対値が小さい電圧を電源１１に印加させ、第２トナー回収ローラ５５に印加する電圧として、変曲点の電圧よりも絶対値が大きい電圧を電源１２に印加させ、排出動作時に、第１トナー回収ローラ５４に印加する電圧として、画像形成動作時に印加する電圧と同極性であり、変曲点の電圧よりも絶対値が大きい電圧を電源１１に印加させ、第２トナー回収ローラ５５に印加する電圧として、変曲点の電圧よりも絶対値が小さい電圧を電源１２に印加させる。【選択図】図１
2009288602.tif 000002
【特許請求の範囲】
【請求項１】
像担持体からトナーを除去する第１、第２の除去手段と、
前記第１、第２の除去手段からトナーを回収する第１、第２の回収手段と、
前記第１の回収手段及び第２の回収手段に電圧を印加する電圧印加手段と、
前記第１、第２の除去手段、前記第１、第２の回収手段及び前記電圧印加手段を制御する制御手段と、を備え、
前記制御手段は、
画像形成動作時に、前記第１の回収手段に印加する電圧として、前記第１の回収手段に対する前記電圧印加手段の電圧−電流特性の変曲点となる第１の電圧よりも絶対値が小さい電圧を前記電圧印加手段に印加させ、前記第２の回収手段に印加する電圧として、前記第２の回収手段に対する前記電圧印加手段の電圧−電流特性の変曲点となる第２の電圧よりも絶対値が大きい電圧を前記電圧印加手段に印加させ、且つ、
前記第１の除去手段に付着したトナーを前記像担持体に排出する排出動作時に、前記第１の回収手段に印加する電圧として、前記画像形成動作時に印加する電圧と同極性であり、前記第１の電圧よりも絶対値が大きい電圧を前記電圧印加手段に印加させ、前記第２の回収手段に印加する電圧として、前記第２の電圧よりも絶対値が小さい電圧を前記電圧印加手段に印加させる画像形成装置。
【請求項２】
前記制御部は、
前記排出動作時に、前記像担持体に排出されたトナーを前記第２の回収手段に回収させる方向に前記像担持体を移動させる請求項１に記載の画像形成装置。
【請求項３】
前記第１、第２の除去手段は、
ブラシローラである請求項１又は２に記載の画像形成装置。
【請求項４】
像担持体上にトナー像を形成するトナー像形成手段と、
像担持体からトナーを除去する除去手段と、
前記除去手段からトナーを回収する回収手段と、
前記回収手段に電圧を印加する電圧印加手段と、
前記トナー像形成手段、前記除去手段、前記回収手段、及び前記電圧印加手段を制御する制御手段と、を備え、
前記制御手段は、
画像形成動作時に、前記回収手段に印加する電圧として、前記回収手段に対する前記電圧印加手段の電圧−電流特性の変曲点となる所定の電圧よりも絶対値が小さい電圧値を前記電圧印加手段に印加させ、且つ、
前記除去手段に付着したトナーを前記像担持体に排出する排出動作時に、前記回収手段に印加する電圧として、前記画像形成動作時に印加する電圧と同極性であり、前記所定の電圧よりも絶対値が小さい値を前記電圧印加手段に印加させ、前記像担持体に排出されたトナーを前記トナー像形成手段に回収させる画像形成装置。
【請求項５】
前記除去手段は、
ブラシローラであり、
前記トナー像形成手段は、
感光体ドラムを含む請求項４に記載の画像形成装置。
【発明の詳細な説明】
【技術分野】
【０００１】
本発明は、画像形成装置に関する
【背景技術】
【０００２】
近年、ブラシローラを用いて重合トナー、小粒径トナー等（以下、トナー）を像担持体の表面から静電気的に除去する画像形成装置が知られている。例えば、ブラシローラに正極性の電圧を印加することにより、マイナスに帯電したトナーをブラシローラに移動させ、像担持体の表面からトナーを除去する技術が知られている。
【０００３】
上記の技術において、トナーの移動は、ブラシローラと像担持体とが作る電界により影
響される。例えば、ブラシローラにトナーが付着した状態のままでは、付着したトナーが抵抗体となりブラシローラと像担持体とが作る電界を小さくしまう。そうすると、像担持体の表面からブラシローラへのトナーの移動を妨げることとなる。そこで、ブラシローラに付着したトナーを回収する技術が知られている。
【０００４】
例えば、像担持体の転写残トナーのうち、プラスに帯電したトナー（逆帯電トナー）をブラシローラに一時的に付着し、付着した逆帯電トナーを画像形成時以外の時に像担持体に放出し、放出した逆帯電トナーを現像装置で回収する技術が知られている（例えば、特許文献１参照）。
【特許文献１】特開２００４−９３８４９号公報
【発明の開示】
【発明が解決しようとする課題】
【０００５】
上記特許文献の技術では、ブラシローラに一時的に付着された逆帯電トナーを像担持体に放出するとき、ブラシローラに印加される電圧の極性がマイナスからプラスに変更される。この場合、逆帯電トナーのうち、プラスに弱帯電した弱帯電トナーが発生し、弱帯電トナーを回収できない可能性がある。そうすると、例えば、中間転写ベルト上に弱帯電トナーが残ってしまい、本来白地である部分にトナーが転写されたり、そのトナーが蓄積していくことにより中間転写ベルト表面にフィルミングが発生し転写電界のムラが発生する。このため、弱帯電トナーの発生を防ぎ、トナーの回収能力を向上させる技術を実現する要請があった。
【０００６】
本発明の課題は、弱帯電トナーの発生を防ぎ、トナーの回収能力を向上させることである。
【課題を解決するための手段】
【０００７】
上記課題を解決するため、請求項１に記載の発明の画像形成装置は、
像担持体からトナーを除去する第１、第２の除去手段と、
前記第１、第２の除去手段からトナーを回収する第１、第２の回収手段と、
前記第１の回収手段及び第２の回収手段に電圧を印加する電圧印加手段と、
前記第１、第２の除去手段、前記第１、第２の回収手段及び前記電圧印加手段を制御する制御手段と、を備え、
前記制御手段は、
画像形成動作時に、前記第１の回収手段に印加する電圧として、前記第１の回収手段に対する前記電圧印加手段の電圧−電流特性の変曲点となる第１の電圧よりも絶対値が小さい電圧を前記電圧印加手段に印加させ、前記第２の回収手段に印加する電圧として、前記第２の回収手段に対する前記電圧印加手段の電圧−電流特性の変曲点となる第２の電圧よりも絶対値が大きい電圧を前記電圧印加手段に印加させ、且つ、
前記第１の除去手段に付着したトナーを前記像担持体に排出する排出動作時に、前記第１の回収手段に印加する電圧として、前記画像形成動作時に印加する電圧と同極性であり、前記第１の電圧よりも絶対値が大きい電圧を前記電圧印加手段に印加させ、前記第２の回収手段に印加する電圧として、前記第２の電圧よりも絶対値が小さい電圧を前記電圧印加手段に印加させる。
【０００８】
請求項２に記載の発明は、請求項１に記載の画像形成装置において、
前記制御部は、
前記排出動作時に、前記像担持体に排出されたトナーを前記第２の回収手段に回収させる方向に前記像担持体を移動させる。
【０００９】
請求項３に記載の発明の画像形成装置は、請求項１又は２に記載の画像形成装置において、    
前記第１、第２の除去手段は、
ブラシローラである。
【００１０】
請求項４に記載の発明の画像形成装置は、
像担持体上にトナー像を形成するトナー像形成手段と、
像担持体からトナーを除去する除去手段と、
前記除去手段からトナーを回収する回収手段と、
前記回収手段に電圧を印加する電圧印加手段と、
前記トナー像形成手段、前記除去手段、前記回収手段、及び前記電圧印加手段を制御する制御手段と、を備え、
前記制御手段は、
画像形成動作時に、前記回収手段に印加する電圧として、前記回収手段に対する前記電圧印加手段の電圧−電流特性の変曲点となる所定の電圧よりも絶対値が小さい電圧値を前記電圧印加手段に印加させ、且つ、
前記除去手段に付着したトナーを前記像担持体に排出する排出動作時に、前記回収手段に印加する電圧として、前記画像形成動作時に印加する電圧と同極性であり、前記所定の電圧よりも絶対値が小さい値を前記電圧印加手段に印加させ、前記像担持体に排出されたトナーを前記トナー像形成手段に回収させる。
【００１１】
請求項５に記載の発明は、請求項４に記載の画像形成装置において、  
前記除去手段は、
ブラシローラであり、
前記トナー像形成手段は、
感光体ドラムを含む。        
【発明の効果】
【００１２】
本発明によれば、排出動作時に、除去手段に付着したトナーを、より確実に帯電させることができる。これにより、除去手段から像担持体に排出されたトナーのうち、弱帯電したトナーの発生を防ぐことができるので、像担持体に排出されたトナーは確実に回収され、トナーの回収能力を向上させることができる。また、トナーの回収能力を向上させることができるので、本来白地である部分にトナーが転写されたり、そのトナーが蓄積していくことにより中間転写ベルト表面にフィルミングが発生し転写電界のムラが発生することを防ぐことができる。
【発明を実施するための最良の形態】
【００１３】
（第１の実施の形態）
以下、添付図面を参照して本発明に係る第１の実施の形態を説明する。先ず、図１を参照して画像形成装置１の概略断面構成図を説明する。
【００１４】
図１に示すように、画像形成装置１は、原稿から画像を読み取り、読み取った画像を用紙Ｐに画像形成して出力するコピー機能や、外部装置等から画像データを含むページデータや各画像データの画像形成条件等を含むジョブを受信し、受信したジョブに基づいて画像を用紙Ｐ上に形成して出力するプリント機能等を備えている。図１に示すように、画像形成装置１は、画像読取部２０、プリント部４０等を備えて構成される。
【００１５】
画像読取部２０は、ＡＤＦ（Auto Document Feeder）と称される自動原稿送り部２１と読取部２２とを備える。自動原稿送り部２１の原稿トレイ２１ａに載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取ら
れる。ここで、画像とは、図形や写真等のイメージデータに限らず、文字や記号等のテキストデータ等も含む意である。
【００１６】
画像読取部２０により読み取られた画像（アナログ画像信号）は、画像制御基板（図示省略）の読取処理部に出力され、読取処理部においてＡ／Ｄ変換され各種画像処理が施された後、プリント部４０に出力される。
【００１７】
プリント部４０は、入力されたプリントデータに基づいて、電子写真方式の画像形成処理を行うものであり、給紙部４１、搬送部４２、画像形成部４３、定着部４４、搬出部４５、搬出待機部４６を備えて構成される。
【００１８】
給紙部４１は、複数の給紙トレイ４１ａ、給紙手段４１ｂ、手差しトレイ４１ｃ等を備える。給紙トレイ４１ａは、給紙トレイ４１ａ毎に用紙の斤量やサイズ等に基づいて識別された規格用紙や特殊用紙、差込用紙等の用紙Ｐが予め設定された種類毎に格納されており、給紙手段４１ｂによって用紙Ｐを最上部から一枚ずつ搬送部４２に向けて搬送する。手差しトレイ４１ｃは、ユーザのニーズに合わせて様々な種類の用紙Ｐを積載可能な給紙トレイであり、給紙ローラによって積載された用紙Ｐを最上部から一枚ずつ搬送部４２に向けて搬送する。
【００１９】
搬送部４２は、給紙トレイ４１ａ又は手差しトレイ４１ｃから搬送された用紙Ｐを、複数の中間ローラ、レジストローラ４２ａ等を経て二次転写ローラ４２ｂへと搬送する。レジストローラ４２ａは、二次転写ローラ４２ｂに搬送される用紙を一時的に待機させる第１待機部として機能し、二次転写ローラ４２ｂは、中間転写体（中間転写ベルト４３ｂ）上のトナー画像を用紙に二次転写する二次転写部として機能する。
【００２０】
また、搬送部４２は、搬送路切換板により、片面画像形成処理済みの用紙Ｐを両面搬送路４２ｃに搬送し、再び中間ローラ、レジストローラ４２ａを経て二次転写ローラ４２ｂへと搬送する。この二次転写ローラ４２ｂにより、後述する中間転写ベルト４３ｂに一次転写されたトナー画像が用紙Ｐ上に二次転写される。
【００２１】
画像形成部４３は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部４３Ｙ、４３Ｍ、４３Ｃ、４３Ｋと、クリーニング部４３ａと、中間転写ベルト４３ｂとを備えて構成されている。
【００２２】
例えば、画像形成部４３Ｙは、感光体ドラムの周囲に配置された帯電装置、露光装置、現像装置、画像データに基づく静電潜像が現像されたトナー画像を中間転写ベルト４３ｂ上に一次転写する一次転写部として機能する一次転写ローラ４３Ｙａ、クリーニング装置を備え、イエロー（Ｙ）の画像を形成する。
【００２３】
具体的には、帯電装置により帯電された感光体ドラムに、露光装置からイエロー（Ｙ）の画像データに応じた光を照射して静電潜像を形成する。そして、現像装置は、静電潜像が形成された感光体ドラムの表面に帯電したイエロー（Ｙ）のトナーを付着させて静電潜像を現像する。現像装置によりトナーが付着された感光体ドラムは、一次転写ローラ４３Ｙａが配置された転写位置へ一定速度で回転されながら中間転写ベルト４３ｂに一次転写される。中間転写ベルト４３ｂにトナーが一次転写された後、クリーニング装置が、感光
体ドラムの表面の残留電荷や残留トナー等を除去する。
【００２４】
画像形成部４３Ｍ、４３Ｃ、４３Ｋは、画像形成部４３Ｙと同様の構成を備え、マゼンタ（Ｍ）、シアン（Ｃ）、ブラック（Ｋ）の画像をそれぞれ形成する。
【００２５】
中間転写ベルト４３ｂは、複数のローラに懸架され回転可能に支持された半導電性エンドレスベルトであり、ローラの回転に伴って回転駆動される。
この中間転写ベルト４３ｂは、各画像形成部４３Ｙ、４３Ｍ、４３Ｃ、４３Ｋの一次転写ローラ４３Ｙａ、４３Ｍａ、４３Ｃａ、４３Ｋａによりそれぞれの感光体ドラムに圧着される。これにより各感光体ドラムの表面に現像された各トナーは、各一次転写ローラ４３Ｙａ、４３Ｍａ、４３Ｃａ、４３Ｋａによる転写位置で中間転写ベルト４３ｂに一次転写され、二次転写ローラ４２ｂによる転写位置で用紙Ｐにイエロー、マゼンタ、シアン、ブラックの各トナーが順次重ねて二次転写される。
【００２６】
そして、中間転写ベルト４３ｂは、二次転写ローラ４２ｂにより用紙Ｐにトナー画像を二次転写した後、用紙Ｐを曲率及び静電的に分離して、クリーニング部４３ａにより残留トナーが除去される。
【００２７】
定着部４４は、熱源を有する回転定着部材４４ａと、当該回転定着部材４４ａに圧接してニップ部Ｎを形成する加圧ローラ４４ｂとを備え、用紙Ｐに二次転写されたトナー像を熱定着する。回転定着部材４４ａとしては、加熱ローラ、加熱ベルト等を挙げることができる。
【００２８】
搬出部４５は、複数の排紙ローラと、搬出口４５ａと、排紙面切替経路４５ｂとを有し、搬送路切換板により、トナー像が定着された用紙Ｐを排紙ローラに挟持させて搬出口４５ａから搬出待機部４６へ搬出したり、トナー像が定着された用紙Ｐを排紙ローラに挟持させて搬出待機部４６に排紙する用紙の用紙面を切り替える排紙面切替部として機能する排紙面切替経路４５ｂに搬送した後に搬出口４５ａから搬出待機部４６へ搬出する。
【００２９】
搬出待機部４６は、二次転写ローラ４２ｂと排紙トレイ４７との間に設けられ、複数の排紙ローラと、第１搬出路４６ａと、第２搬出路４６ｂとを有し、搬送路切換板により、搬出口４５ａから搬入された用紙を第１搬出路４６ａ又は第２搬出路４６ｂに搬送させた後に排紙トレイ４７に排紙させる。
【００３０】
第１搬出路４６ａは、搬出口４５ａから搬入された用紙を搬出口４５ａから搬入された用紙面と同一の面で排紙トレイ４７に排紙する経路である。第２搬出路４６ｂは、搬出口４５ａから搬入された用紙を一時的に待機させる第２待機部として機能し、所定のタイミングで排紙トレイ４７に排紙する経路であり、第１搬出路４６ａを経て排紙トレイ４７に搬出された用紙面とは逆の面で排紙トレイ４７に排紙する経路である。
【００３１】
次いで、図２を参照して、画像形成装置１におけるクリーニング部４３ａ、駆動ローラ５１、像担持体としての中間転写ベルト４３ｂ、制御手段としての制御部１０、電圧印加手段としての電源１１,１２の構成を詳細に説明する。
【００３２】
クリーニング部４３ａは、第１の除去手段としての第１ブラシローラ５２と、第２の除去手段としての第２ブラシローラ５３と、第１の回収手段としての第１トナー回収ローラ５４と、第２の回収手段としての第２トナー回収ローラ５５と、を備えて構成される。第１ブラシローラ５２と、第２ブラシローラ５３とは同様の構成である。また、第１トナー回収ローラ５４、第２トナー回収ローラ５５とは、同様の構成である。以下、第１ブラシローラ５２、第１トナー回収ローラ５４を代表して説明する。
【００３３】
第１ブラシローラ５２は、クリーニングブラシにより構成され、中間転写ベルト４３ｂからトナーを除去する。具体的には、第１ブラシローラ５２は、導電性ナイロンにより構成され、図中の矢印方向（中間転写ベルト４３ｂの移動方向に対して逆方向）に回転することにより中間転写ベルト４３ｂ上のトナーを除去する。また、第１ブラシローラ５２のブラシは、外形φ１８ｍｍ、毛長５ｍｍであり、第１トナー回収ローラ５４とのブラシの食い込み量は１ｍｍとした。
【００３４】
第１トナー回収ローラ５４は、ステンレスにより構成され、第１ブラシローラ５２に当接している。また、第１トナー回収ローラ５４には、制御部１０の指示に基づいて、電源１１から負極性の電圧が印加される。負極性の電圧は、導電性の第１ブラシローラ５２、半導電性の中間転写ベルト４３ｂ、導電性の駆動ローラ５１に印加される。また、第１トナー回収ローラ５４には、ステンレス製のスクレーパＳ（厚さ０．０５ｍｍ）が当接されており、第１ブラシローラ５２から回収したトナーを機械的にかきとる構成となっている。
【００３５】
中間転写ベルト４３ｂは、具体的には、ＰＩ（ポリイミド）ベルトであり、体積抵抗が１０＾９Ω、表面抵抗が１０＾１１のベルトである。中間転写ベルト４３ｂの表面には、マイナストナー、プラストナーが付着している。また、中間転写ベルト４３ｂは、画像形成動作時に図２の矢印方向に移動する。したがって、画像形成動作時において、先ず、中間転写ベルト４３ｂの表面に付着しているトナーのうち、マイナストナーが正極性の電圧が印加される第２ブラシローラ５３により除去される。そして、中間転写ベルト４３ｂのプラストナーが負極性の電圧が印加される第１ブラシローラ５２により除去される。
【００３６】
駆動ローラ５１は、中間転写ベルト４３ｂを回転駆動するローラである。駆動ローラ５１は、接地電圧（０Ｖ）が印加される。  
【００３７】
制御部１０は、ＣＰＵ（Central Processing Unit）、ＲＯＭ（Read  Only  Memory）、ＲＡＭ（Random  Access  Memory）等から構成され、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行し、画像形成装置１の各部を集中制御する。
【００３８】
具体的には、制御部１０は、画像形成動作時に、第１トナー回収ローラ５４に印加する電圧として、電源１１の電源電流が急峻に増加する第１の電圧よりも絶対値が小さい電圧を電源１１に印加させ、第２トナー回収ローラ５５に印加する電圧として電源１２の電源電流が急峻に増加する第２の電圧よりも絶対値が大きい電圧を電源１２に印加させる。また、第１ブラシローラ５２に付着したトナーを中間転写ベルト４３ｂに排出する排出動作時に、第１トナー回収ローラ５４に印加する電圧として画像形成動作時に印加する電圧と同極性であり、第１の電圧よりも絶対値が大きい電圧を電源１１に印加させ、第２トナー回収ローラ５５に印加する電圧として第２の電圧よりも絶対値が小さい電圧を電源１２に印加させる。
【００３９】
画像形成動作時とは、用紙に画像を形成する画像形成動作を実行する時のことをいう。
第１、第２の電圧とは、例えば、電源の電源電流が急峻に増加する電圧のことをいう。具体的には、例えば、上記第１の電圧の場合、電源１１、制御部１０、第１トナー回収ローラ５４、第１ブラシローラ５２、中間転写ベルト４３ｂ、駆動ローラ５１からなる測定系の第１トナー回収ローラ５４に印加した電圧と、電源１１の電源電流との電圧−電流特性において、電源電流が急峻に増加する、即ち、変曲点（傾きが変化する点）に対応する特定の電圧値のことをいう。
第１トナー回収ローラ５４に印加する電圧として所定の電圧よりも絶対値が小さい電圧を電源１１に印加させるとは、例えば、変曲点の電圧が１０００Ｖである場合、−７００Ｖの電圧を第１トナー回収ローラ５４に対して電源１１に印加させることをいう。
第２トナー回収ローラ５５に印加する電圧として所定の電圧よりも絶対値が大きい電圧を電源１２に印加させるとは、例えば、変曲点の電圧が１０００Ｖである場合、２０００Ｖの電圧を第２トナー回収ローラ５５に対して電源１２に印加させることをいう。
排出動作時とは、第１ブラシローラ５２に付着したトナーを中間転写ベルト４３ｂに排出する排出動作を実行する時のことをいう。
第１トナー回収ローラ５４に印加する電圧として画像形成動作時に印加する電圧と同極性であり、所定の電圧よりも絶対値が大きい電圧を電源１１に印加させるとは、例えば、変曲点の電圧が１０００Ｖ、画像形成時に印加する電圧が−７００Ｖの場合において、−２０００Ｖの電圧を第１トナー回収ローラ５４に対して電源１１に印加させることをいう。第１トナー回収ローラ５４に、電圧（−２０００Ｖ）が印加されることにより、第１ブラシローラ５２に付着されたトナーは、第１トナー回収ローラ５４に印加された電圧の極性（すなわち、マイナス）に帯電される。そして、帯電されたトナー（マイナストナー）は、中間転写ベルト４３ｂに排出される。例えば、第１ブラシローラ５２に付着されたトナーがプラストナーである場合、プラストナーは、電源１１の電圧の極性と同極性（マイナス）に帯電され、帯電されたマイナストナーは、中間転写ベルト４３ｂに排出される。
第２トナー回収ローラ５５に印加する電圧として所定の電圧よりも絶対値が小さい電圧を電源１２に印加させるとは、例えば、変曲点の電圧が１０００Ｖである場合、７００Ｖの電圧を第２回収ローラ５５に対して電源１２に印加させることをいう。第２トナー回収ローラ５５に、電圧（７００Ｖ）が印加されることにより、中間転写ベルト４３ｂに排出されたトナー（マイナストナー）が第２ブラシトナーに付着され、第２トナー回収ローラ５５により回収される。
【００４０】
また、制御部１０は、排出動作時において、中間転写ベルト４３ｂを画像形成動作時の移動方向と逆方向（図２中の矢印と逆方向）に移動させる。すなわち、排出動作時において、中間転写ベルト４３ｂに排出されたトナー（マイナストナー）を第２トナー回収ローラ５５で回収する方向に中間転写ベルト４３ｂを移動させる。
【００４１】
電源１１は、負極性の電圧源である。電源１２は、正極性の電圧源である。電源１１,１２から供給される電圧は、制御部１０の指示に基づいて、第１トナー回収ローラ５４、第２トナー回収ローラ５５にそれぞれ印加される。
【００４２】
次いで、図３を参照して、測定系（例えば、電源１１、制御部１０、第１トナー回収ローラ５４、第１ブラシローラ５２、中間転写ベルト４３ｂ、駆動ローラ５１からなる系）において、測定された電圧−電流特性を説明する。図３に示す３種類の値（９ｌｏｇΩ・ｃｍ、１１．５ｌｏｇΩ・ｃｍ、１３ｌｏｇΩ・ｃｍ）は、第１ブラシローラ５２のブラシの単位長さ当りの抵抗値を示す。測定は、画像形成時と同様に、第１トナー回収ローラ５４、第１ブラシローラ５２、中間転写ベルト４３ｂ、駆動ローラ５１を動作させ、トナー像は作成せずに行った。図３に示すように、電流特定は、直線とならず、ある値を境界として変曲点を持った。これは、変曲点以上の電圧にすると放電が発生し、測定系に放電電流が流れるためによるものと推測される。変曲点の電圧は、第１ブラシローラ５２のブラシの単位長さ当りの抵抗値により異なるが、約１０００Ｖ〜１５００Ｖの範囲内の値を示した。
【００４３】
次に、図４を参照して、図２の構成において、画像形成動作時（画像形成時）及び排出動作時（排出モード時）に、第１ブラシローラ５２及び第２ブラシローラ５３に印加する電圧を変化させたときのトナー回収性能の判定結果について説明する。判定は、クリーニング部４３ａによる中間転写ベルト４３ｂのクリーニング後に中間転写ベルト４３ｂの外周面上の残存トナーをテープ等の粘着性を有する媒体で採取し、該残存トナーを白紙に貼り付けた場合の該残存トナーによる光の反射濃度を測定した値に基づく。図４では、当該測定した値が相対濃度０．００５以下であった場合をＡ、相対濃度０．００５より大きい場合をＢとして判定し、Ａは良好、Ｂは不良とみなした。図４に示すように、実施例１〜３の条件において、判定が「Ａ」となった。
【００４４】
以下に、判定が「Ａ」の条件（実施例１〜３）における電圧値について説明する。
先ず、画像形成時において、第１ブラシローラ５２（第１トナー回収ローラ５４）には、変曲点よりも絶対値が小さい電圧値が印加される。この電圧値は、画像形成時に、第１ブラシローラ５２に付着したプラストナーがマイナストナーとして中間転写ベルト４３ｂに排出され、排出されたマイナストナーがクリーニング部４３ａの外に排出することを防ぐために設定される。例えば、第１トナー回収ローラ５４に変曲点よりも絶対値が大きな電圧が印加されると、第１ブラシローラ５２に付着したプラストナーが電源１１の極性（マイナス）に帯電され、帯電されたマイナストナーが中間転写ベルト４３ｂ上に排出される。そうすると、中間転写ベルト４３ｂに排出されたマイナストナーがクリーニング部４３ａの外に排出され、転写動作に移行する可能性がある。したがって、第１トナー回収ローラ５４には、変曲点よりも絶対値が小さい電圧値が印加される。
【００４５】
また、画像形成時において、第２ブラシローラ５３（第２トナー回収ローラ５５）には、変曲点よりも絶対値が大きな電圧が印加される。これは、中間転写ベルト４３ｂのマイナストナーを回収するか、もしくは確実に中間転写ベルト４３ａのトナーをプラスに帯電させることにより弱帯電トナーの発生を防ぐためである。
【００４６】
また、排出モード時において、第１トナー回収ローラ５４には、変曲点よりも絶対値が大きな電圧値が印加される。これは、排出モード時において、第１ブラシローラ５２に付着したトナーのうち、弱帯電したトナーが中間転写ベルト４３ｂに排出されるのを防ぐためである。第１トナー回収ローラ５４に、変曲点よりも大きな電圧が印加されることより、第１ブラシローラ５２に付着したプラストナーは、確実にマイナスへ帯電され、中間転写ベルト４３ｂに排出されることとなる。
【００４７】
また、排出モード時において、第２トナー回収ローラ５５には、変曲点よりも絶対値の小さい電圧値が印加される。例えば、排出モード時において、第２トナー回収ローラ５５に変曲点よりも絶対値の大きな電圧値が印加されると、第２ブラシローラ５３で除去したマイナストナーが中間転写ベルト４３ｂにプラストナーとして排出される可能性がある。このプラストナーの排出を防止するため、第２トナー回収ローラ５５には、変曲点よりも小さな電圧が印加される。
【００４８】
次に、図５及び図６を参照して、判定結果が「Ａ」の条件を用いた画像形成装置１の動作を説明する。先ず、図５を参照して、第１の処理について説明する。第１の処理は、定期的にトナーの排出動作を行う処理である。
【００４９】
例えば、ユーザにより操作部（図示省略）を介して第１の処理の実行指示が押下されたこと等をトリガとして、ＲＯＭから読み出されて適宜ＲＡＭに展開された第１のプログラムと、ＣＰＵとの協働により第１の処理が実行される。  
【００５０】
予め、第１の処理の実行前に、図３で説明した電圧−電流特性が測定され、変曲点が特定されているものとする。
【００５１】
先ず、画像形成動作開始信号がＯＮか否かが判別される（ステップＳ１１）。画像形成動作開始信号とは、用紙１枚ごとに画像形成動作を開始するか否かを判別するための信号のことをいう。例えば、ユーザにより、画像形成動作の開始指令が操作部（図示省略）を介して入力されると画像形成動作開始信号がＯＮとなる。ここで、例えば、ユーザにより用紙１０枚に対する画像形成動作の開始指令が操作部（図示省略）を介して入力されたとすると、用紙１枚ごとに本ステップの判別が実行される。また、本ステップにおいて、例えば、画像形成装置１と通信接続されたＰＣ（図示省略）から画像形成動作の開始指令を受信した場合においても、画像形成動作開始信号がＯＮとなることとしてもよい。
ステップＳ１１において、画像形成動作がＯＮでないと判別された場合（ステップＳ１１；ＮＯ）、ステップＳ１１に移行される。
【００５２】
画像形成動作がＯＮであると判別された場合（ステップＳ１１；ＹＥＳ）、クリーナカウンタ＝１０００であるか否かが判別される（ステップＳ１２）。クリーナカウンタとは、制御部１０のＲＡＭに記憶されているカウンタである。クリーナカウンタのカウント値１０００は、排出動作を定期的に行うための値であり、カウント値１０００となる毎に排出モード時に移行される。
【００５３】
ステップＳ１２において、クリーナカウンタ＝１０００でないと判別された場合（ステップＳ１２；ＮＯ）、第１トナー回収ローラ５４に画像形成時の電圧が印加される（ステップＳ１３）。例えば、変曲点が１０００Ｖとすると、第１トナー回収ローラ５４に印加される電圧として、変曲点よりも絶対値が小さな電圧（例えば、−７００Ｖ）が印加される。また、本ステップと同時に、第２トナー回収ローラ５５に印加される電圧として、変曲点よりも絶対値が大きな電圧（例えば、２０００Ｖ）が印加される。
【００５４】
ステップＳ１３の実行後、中間転写ベルト４３ｂが駆動される（ステップＳ１４）。具体的には、駆動ローラ５１により中間転写ベルト４３ｂが図２に示す方向に移動される。本ステップによる中間転写ベルト４３ｂの駆動により、中間転写ベルト４３ｂの表面に付着しているトナーのうち、マイナストナーが第１ブラシローラ５２により除去される。そして、中間転写ベルト４３ｂのプラストナーが第２ブラシローラ５４により除去される。具体的には、中間転写ベルト４３ｂのマイナストナーは、第２トナー回収ローラ５５に印加された正極性（例えば、２０００Ｖ）の静電力により第２ブラシローラ５３に付着され、中間転写ベルト４３ｂから除去される。そして、第２ブラシローラに付着されたマイナストナーが第２トナー回収ローラ５５により回収される。また、中間転写ベルト４３ｂのプラストナーは、第１トナー回収ローラ５４に印加された負極性（例えば、−７００Ｖ）の静電力により第１ブラシローラ５２に付着され、中間転写ベルト４３ｂから除去される。そして、第１ブラシローラに付着されたプラストナーが第１トナー回収ローラ５４により回収される。
ステップＳ１４の実行後、クリーナカウンタのカウント値が＋１される（ステップＳ１５）。
【００５５】
ステップＳ１５の実行後、設定枚数の画像形成動作が終了したか否かが判別される（ステップＳ１６）。例えば、ステップＳ１１において、用紙１０枚に対する画像形成動作の開始指令が操作部（図示省略）を介して入力された場合、設定枚数（１０枚）の画像形成動作が終了したか否かが判別される。画像形成動作が終了していないと判別された場合（ステップＳ１６；ＮＯ）、ステップＳ１２に移行される。画像形成動作が終了したと判別された場合（ステップＳ１６；ＹＥＳ）、中間転写ベルト４３ｂの駆動がＯＦＦされる（ステップＳ１７）。具体的には、駆動ローラ５１の駆動がＯＦＦとなり、中間転写ベルト４３ｂの移動動作がＯＦＦとなる。
【００５６】
ステップＳ１７の実行後、第１トナー回収ローラ５４に印加される電圧がＯＦＦに設定される（ステップＳ１８）。このとき、同時に第２トナー回収ローラ５５に印加される電圧がＯＦＦに設定される。ステップＳ１８の実行後、第１の処理を終了するか否かが判別される（ステップＳ１９）。例えば、ユーザにより第１の処理の終了指示が操作部を介して入力されたか否かに基づいて、本ステップの判別が実行される。第１の処理を終了しないと判別された場合（ステップＳ１９；ＮＯ）、ステップＳ１１に移行される。第１の処理を終了すると判別された場合（ステップＳ１９；ＹＥＳ）、第１の処理は終了される。
【００５７】
ステップＳ１２において、クリーナカウンタ＝１０００であると判別された場合（ステップＳ１２；ＹＥＳ）、第１トナー回収ローラ５４に排出モード時の電圧が印加される（ステップＳ２０）。例えば、変曲点が１０００Ｖとすると、第１トナー回収ローラ５４に印加される電圧として変曲点よりも絶対値が大きな電圧（例えば、−２０００Ｖ）が印加される。また、本ステップと同時に、第２トナー回収ローラ５５に印加される電圧として変曲点よりも絶対値が小さな電圧（例えば、７００Ｖ）が印加される。
【００５８】
ステップＳ２０の実行後、中間転写ベルト４３ｂが駆動される（ステップＳ２１）。具体的には、中間転写ベルト４３ｂが画像形成時と逆方向（図２に示す方向と逆方向）に駆動される。ここで、ステップＳ２０における排出モード時の電圧印加により第１ブラシローラ５２に付着したトナーは、マイナスに帯電して中間転写ベルト４３ｂに排出される。この場合、中間転写ベルト４３ｂが画像形成時と逆方向に移動することにより、中間転写ベルト４３ｂに排出されたマイナストナーは、第２トナー回収ローラ５５に印加された正極性（例えば、７００Ｖ）の静電力により第２ブラシローラ５３に付着され、中間転写ベルト４３ｂから除去される。そして、第２ブラシローラ５３に付着されたマイナストナーが第２トナー回収ローラ５５により回収される。
【００５９】
ステップＳ２１の実行後、中間転写ベルト４３ｂの駆動がＯＦＦされる（ステップＳ２２）。第１トナー回収ローラ５４に印加される電圧がＯＦＦに設定される（ステップＳ２３）。このとき、同時に第２トナー回収ローラ５５に印加される電圧の設定がＯＦＦに設定される。
【００６０】
そして、クリーナカウンタのカウント値がリセットされる（ステップＳ２４）。ステップＳ２４の実行後、ステップＳ１６に移行される。
【００６１】
次に、図６を参照して、第２の処理について説明する。第２の処理は、電源１１、１２の電源電流値に基づいて、トナーの排出動作を行う処理である。
【００６２】
例えば、ユーザにより操作部（図示省略）を介して第２の処理の実行指示が押下されたこと等をトリガとして、ＲＯＭから読み出されて適宜ＲＡＭに展開された第２のプログラムと、ＣＰＵとの協働により第２の処理が実行される。  
【００６３】
予め、第２の処理の実行前に、図３で説明した電圧−電流特性が測定され、変曲点が特定されているものとする。
【００６４】
ステップＳ３１は、第１の処理のステップＳ１１と同様である。ステップＳ３１において、画像形成動作がＯＮであると判別された場合（ステップＳ３１；ＹＥＳ）、ブラシ電流値絶対値＜設定値であるか否かが判別される（ステップＳ３２）。ブラシ電流値とは、測定系（電源１１、制御部１０、第１トナー回収ローラ５４、第１ブラシローラ５２、中間転写ベルト４３ｂ、駆動ローラ５１からなる系）において、測定された電流値のことをいう。設定値とは、例えば、第１ブラシローラ５２のブラシに付着したトナーの汚れをクリーニングするか否かを判別するために予め設定された値のことをいう。
【００６５】
ステップＳ３３、ステップＳ３４は、第１の処理のステップＳ１３、Ｓ１４と同様である。ステップＳ３５〜ステップＳ４２は、第１の処理のステップＳ１６〜ステップＳ２３と同様である。
【００６６】
以上、本実施の形態によれば、排出動作時に、画像形成動作時と同極性であり、変曲点の電圧よりも絶対値が大きい電圧値を第１トナー回収ローラ５４に印加するので、第１ブラシローラに付着したトナーを、第１トナー回収ローラ５４に印加した電圧極性で確実に帯電させることができる。これにより、第１ブラシローラから中間転写ベルト４３ｂに排出されたトナーのうち、弱帯電したトナーの発生を防ぐことができるので、中間転写ベルト４３ｂに排出されたトナーは第２トナー回収ローラ５５により確実に回収され、トナーの回収能力を向上させることができる。また、トナーの回収能力を向上させることができるので、本来白地である部分にトナーが転写されたり、そのトナーが蓄積していくことにより中間転写ベルト表面にフィルミングが発生し転写電界のムラが発生することを防ぐことができる。
【００６７】
また、排出動作時に、中間転写ベルト４３ｂに排出されたトナーを第２トナー回収ローラに回収させる方向に中間転写ベルト４３ｂを移動させることにより、中間転写ベルト４３ｂに排出されたトナーを第２トナー回収ローラ５５に回収させることができる。これにより、クリーニング部４３ａの外にトナーが排出することを防ぐことができる。
【００６８】
また、画像形成動作時に、第２トナー回収ローラ５５で中間転写ベルト４３ｂのマイナストナーを回収し、第１トナー回収ローラ５４で中間転写ベルト４３ｂのプラストナーを回収し、排出動作時に、中間転写ベルト４３ｂに排出されたマイナストナーを第２トナー回収ローラ５５で回収する。これにより、例えば、中間転写ベルト４３ｂのトナーを除去するために中間転写ベルト４３ｂをブラシローラに複数回通過させて中間転写ベルト４３ｂのトナーを除去する動作と比較した場合、中間転写ベルト４３ｂをブラシローラに複数回通過させる必要がないので、合理的にトナーを回収することができる。
【００６９】
また、画像形成時において、第１トナー回収ローラ５４に変曲点よりも絶対値が小さい電圧値が印加されることにより、画像形成時に、中間転写ベルト４３ｂに排出されたマイナストナーがクリーニング部４３ａの外に排出することを防ぐことができる。
【００７０】
また、画像形成時において、第２トナー回収ローラ５５に変曲点よりも絶対値が大きな電圧が印加されることにより、中間転写ベルト４３ｂのマイナストナーを回収することができる。また、確実に中間転写ベルト４３ａのトナーをプラスに帯電させることにより弱帯電トナーの発生を防ぐことができる。
【００７１】
また、排出モード時において、第２トナー回収ローラ５５に変曲点よりも絶対値の小さい電圧値が印加されることにより、第２ブラシローラ５３で除去したマイナストナーが中間転写ベルト４３ｂにプラストナーとして排出されることを防ぐことができる。
【００７２】
また、第１ブラシローラ５２、第２ブラシローラ５３により中間転写ベルト４３ｂからトナーを除去することができる。
【００７３】
（第２の実施の形態）
図７及び図８を参照して、本発明に係る第２の実施の形態を説明する。第１の実施と同様な部分には同一の符号を付し、その詳細な説明を援用し、異なる部分について以下説明する。
【００７４】
図７を参照して、本実施の形態の構成におけるクリーニング部４３ａ、駆動ローラ５１、像担持体としての中間転写ベルト４３ｂ、制御手段としての制御部１０、電圧印加手段としての電源１１Ａ,１２Ａ、一時転写ローラ４３Ｙａ、感光体ドラム６１を含むトナー像形成手段として機能する画像形成部４３Ｙの構成を詳細に説明する。図７において、一時転写ローラは、図１に示す一時転写ローラ４３Ｙａ、４３Ｍａ、４３Ｃａ、４３Ｋａのいずれかとしてよい。本実施の形態では、一時転写ローラ４３Ｙａを構成するものとして説明する。また、図７において、画像形成部は、図１に示す画像形成部４３Ｙ、４３Ｍ、４３Ｃ、４３Ｋのいずれかとしてよい。本実施の形態では、画像形成部４３Ｙを構成するものとして説明する。
【００７５】
クリーニング部４３ａは、除去手段としてのブラシローラ５２Ａと、回収手段としてのトナー回収ローラ５４Ａと、ブラシ６０と、を備えて構成される。ブラシ６０は、中間転写ベルト４３ｂ上のトナーの極性をマイナスに帯電させるためのブラシである。
【００７６】
制御部１０は、画像形成動作時に、トナー回収ローラ５４Ａに印加する電圧として、電源１１Ａの電源電流が急峻に増加する電圧−電流特定の変曲点となる所定の電圧よりも絶対値が小さい電圧値を電源１１Ａに印加させる。また、ブラシローラ５２Ａに付着したトナーを中間転写ベルト４３ｂに排出する排出動作時に、トナー回収ローラ５４Ａに印加する電圧として画像形成動作時に印加する電圧と同極性であり、所定の電圧よりも絶対値が小さい値を電源１１Ａに印加させ、中間転写ベルト４３ｂに排出されたトナーを感光体ドラム６１に回収させる。
中間転写ベルト４３ｂに排出されたトナーを感光体ドラム６１に回収させるとは、例えば、排出動作時に２０００Ｖの電圧がトナー回収ローラ５４Ａに印加され、中間転写ベルト４３ｂにプラストナーが排出された場合、一時転写部として機能する一時転写ローラ４３Ｙａによりプラストナーを感光体ドラム６１に逆転写し、プラストナーを感光体ドラム６１に回収させることをいう。
【００７７】
また、制御部１０は、画像形成時及び排出動作時において、ブラシ６０に印加する電圧として、中間転写ベルト４３ｂのトナーを同一極性に十分に帯電させる電圧を電源１２Ａに印加させる。例えば、−１４００Ｖの電圧をブラシ６０に対して印加させる。
【００７８】
電源１１Ａは、正極性の電圧源である。電源１２Ａは、負極性の電圧源である。電源１１Ａ、１２Ａから供給される電圧は、制御部１０の指示に基づいて、トナー回収ローラ５４Ａ、ブラシ６０に印加される。
【００７９】
感光体ドラム６１は、図１の一時転写ローラ４３Ｙａ、４３Ｍａ、４３Ｃａ、４３Ｋａのそれぞれの感光体ドラムに該当する。感光体ドラム６１には、クリーニング部４３ａから排出されたプラストナーが逆転写される。これにより、中間転写ベルト４３ｂのプラストナーが感光体ドラム６１により回収される。
【００８０】
次に、図８を参照して、図７の構成において、画像形成時及び排出モード時に、ブラシローラ５２Ａ及びブラシ６０に印加する電圧を変化させたときのトナー回収性能の判定結果について説明する。判定は、図４で説明した判定と同様の判定を行った。図８に示すように、実施例４〜１０の条件において、判定は「Ａ」となる。
【００８１】
以下に、判定が「Ａ」の条件における電圧値について説明する。
先ず、画像形成時において、第１ブラシローラ５２（第１トナー回収ローラ５４）には、変曲点よりも絶対値が小さい電圧値が印加される。この電圧値は、画像形成時に、ブラシローラ５２Ａに付着したマイナストナーがプラストナーとして中間転写ベルト４３ｂに排出され、排出されたプラストナーがクリーニング部４３ａの外に排出することを防ぐために設定される。
【００８２】
また、画像形成時において、ブラシ６０には、中間転写ベルト４３ｂのトナーを同一極性に十分に帯電させる電圧−１４００Ｖが印加される。これは、中間転写ベルト４３ｂのトナーを確実にマイナスに帯電させ、弱帯電のまま通過させるトナーをなくすためである。ブラシ６０に印加される電圧値「−１４００Ｖ」は、画像形成時及び排出モード時において一定である。
【００８３】
また、排出モード時において、トナー回収ローラ５４Ａには、変曲点よりも絶対値が大きな電圧値が印加される。これは、排出モード時において、ブラシローラ５２Ａに付着したトナーのうち、弱帯電したトナーが中間転写ベルト４３ｂ上に排出されるのを防ぐためである。ブラシローラ５２Ａに、変曲点よりも大きな電圧が印加されることより、ブラシローラ５２Ａに付着したプラストナーは、十分にプラスへ帯電され、中間転写ベルト４３ｂに排出される。そして、排出されたプラストナーは、感光体ドラム６１で回収される。
【００８４】
次に、判定結果が「Ａ」の条件における本実施の形態の動作を説明する。本実施の形態の動作は、第１の実施の形態で説明した第１の処理と第２の処理と同様の動作が実行される。このとき、ブラシ６０に印加される電圧値は、「−１４００Ｖ」の一定電圧が印加され、第１の処理、第２の処理が実行される。
【００８５】
以上、本実施の形態によれば、第１の実施の形態と同様に、第１ブラシローラから中間転写ベルト４３ｂに排出されたトナーのうち、弱帯電したトナーの発生を防ぐことができるので、中間転写ベルト４３ｂに排出されたトナーは感光体ドラム６１により確実に回収され、トナーの回収能力を向上させることができる。また、トナーの回収能力を向上させることができるので、本来白地である部分にトナーが転写されたり、そのトナーが蓄積していくことにより中間転写ベルト表面にフィルミングが発生し転写電界のムラが発生することを防ぐことができる。
【００８６】
また、画像形成時において、トナー回収ローラ５４Ａに変曲点の電圧よりも絶対値が小さい電圧が印加されることにより、画像形成時に、ブラシローラ５２Ａに付着したマイナストナーがクリーニング部４３ａの外に排出することを防ぐことができる。
【００８７】
また、画像形成時において、ブラシ６０に中間転写ベルト４３ｂのトナーを同一極性に十分に帯電させる電圧−１４００Ｖが印加されることにより、中間転写ベルト４３ｂのトナーを確実にマイナスに帯電させ、弱帯電のまま通過させるトナーをなくすことができる。
【００８８】
また、ブラシローラ５２Ａ、感光体ドラム６１により中間転写ベルト４３ｂのトナーを除去することができる。
【００８９】
なお、上記実施の形態における記述は、本発明に係る画像形成装置１の一例であり、これに限定されるものではない。
【００９０】
例えば、上記第１の実施の形態では、第１トナー回収ローラ５４に印加する電圧を正極性の電圧、第２トナー回収ローラ５５に印加する電圧を負極性の電圧としたが、これに限定されるものではない。例えば、第１トナー回収ローラ５４に印加する電圧を負極性の電圧、第２トナー回収ローラ５５に印加する電圧を正極性の電圧としてもよい。
【００９１】
また、第２の実施の形態では、トナー回収ローラ５４Ａに印加する電圧を正極性の電圧としたが、これに限定されるものではない。例えば、トナー回収ローラ５４Ａに印加する電圧を負極性の電圧としてもよい。
【００９２】
また、上記の説明では、本発明に係るプログラムのコンピュータ読み取り可能な媒体としてＲＯＭを使用した例を開示したが、この例に限定されない。
その他のコンピュータ読み取り可能な媒体として、フラッシュメモリ等の不揮発性メモリ、ＣＤ−ＲＯＭ等の過般型記録媒体を適用することが可能である。
【００９３】
その他、上記実施の形態における画像形成装置１の細部構成及び詳細動作に関しても、本発明の趣旨を逸脱しない範囲で適宜変更可能である。
【図面の簡単な説明】
【００９４】
【図１】本発明に係る画像形成装置の概略断面構成図である。
【図２】第１の実施の形態に係るクリーニング部、駆動ローラ、中間転写ベルト、制御部、電源の構成を示す図である。
【図３】電圧−電流特性を示す図である。
【図４】第１の実施の形態に係るトナー回収性能の判定結果を示す図である。
【図５】第１の処理の流れを示すフローチャートである。
【図６】第２の処理の流れを示すフローチャートである。
【図７】第２の実施の形態に係るクリーニング部、駆動ローラ、中間転写ベルト、制御部、電源の構成を示す図である。
【図８】第２の実施の形態に係るトナー回収性能の判定結果を示す図である。
【符号の説明】
【００９５】
１     画像形成装置
１０   制御部
１１,１１Ａ,１２,１２Ａ     電源
２０   画像読取部
２１   自動原稿送り部
２１ａ 原稿トレイ
２２   読取部
２２ａ ＣＣＤ
４０   プリント部
４１   給紙部
４１ａ 給紙トレイ
４１ｂ 給紙手段
４１ｃ 手差しトレイ
４２   搬送部
４２ａ レジストローラ
４２ｂ 二次転写ローラ
４２ｃ 両面搬送路
４３,４３Ｙ,４３Ｍ,４３Ｃ,４３Ｋ   画像形成部
４３ａ クリーニング部
４３ｂ 中間転写ベルト
４３Ｙａ,４３Ｍａ,４３Ｃａ,４３Ｋａ  一次転写ローラ
４４   定着部
４４ａ 回転定着部材
４４ｂ 加圧ローラ
４５   搬出部
４５ａ 搬出口
４５ｂ 排紙面切替経路
４６   搬出待機部
４６ａ 搬出路
４６ｂ 搬出路
４７   排紙トレイ
５１   駆動ローラ
５２   第１ブラシローラ
５３   第２ブラシローラ
５２Ａ  ブラシローラ
５４   第１トナー回収ローラ
５４Ａ  トナー回収ローラ
５５   第２トナー回収ローラ
６０   ブラシ
６１   感光体ドラム
【図１】
2009288602.tif 000003
【図２】
2009288602.tif 000004
【図３】
2009288602.tif 000005
【図４】
2009288602.tif 000006
【図５】
2009288602.tif 000007
【図６】
2009288602.tif 000008
【図７】
2009288602.tif 000009
【図８】
2009288602.tif 000010